(57)【要約】  【課題】  気化フィルタを風上側と風下側とに分割構成とすると共に、風上側の気化フィルタにおける通気孔の大きさを、風下側の気化フィルタにおける通気孔の大きさよりも大きくして、気化フィルタが目詰まりするまでの時間を長くするようにする。  【解決手段】  吸込み口３及び吹出し口５を有する加湿器本体２と、この加湿器本体内に設けられた送風機１４と、この送風機の送風路１５内に設けられた気化フィルタ１６と、この気化フィルタに水を供給する水槽１７とを備えた気化式加湿器である。そして、気化フィルタ１６は、互いに平板状シートと波板状シートとを組み合わせて多数の通気孔を形成して成る風上側の第１気化フィルタ１６Ａと風下側の第２気化フィルタ１６Ｂとに分割構成とすると共に、風上側の第１気化フィルタ１６Ａにおける多数の通気孔の大きさを、風下側の第２気化フィルタ１６Ｂにおける多数の通気孔の大きさよりも大きくする構成としている。【選択図】      図２
2007064575.tif 000002
【特許請求の範囲】
【請求項１】
吸込み口及び吹出し口を有する加湿器本体と、この加湿器本体内に設けられた送風機と、この送風機の送風路内に設けられた気化フィルタと、この気化フィルタに水を供給する水槽とを備えた気化式加湿器において、
前記気化フィルタは、互いに平板状シートと波板状シートとを組み合わせて多数の通気孔を形成して成る風上側の第１気化フィルタと風下側の第２気化フィルタとに分割構成とすると共に、風上側の第１気化フィルタにおける多数の通気孔の大きさを、風下側の第２気化フィルタにおける多数の通気孔の大きさよりも大きくしたことを特徴とする気化式加湿器。
【請求項２】
前記風上側の第１気化フィルタを構成するフィルタ構成体は、風下側の第２気化フィルタを構成するフィルタ構成体よりも、波板状シートの波形状が大きなものを用いたことを特徴とする請求項１に記載の気化式加湿器。
【発明の詳細な説明】
【技術分野】
【０００１】
本発明は、水を吸い上げた気化フィルタに空気を通して気化して加湿する気化式加湿器に関する。
【背景技術】
【０００２】
一般に、この種の気化式加湿器は、吸込み口及び吹出し口を有する加湿器本体と、この加湿器本体内に設けられた送風機と、この送風機の送風路内に設けられた気化フィルタと、この気化フィルタに水を供給する水槽とを備え、前記送風機の風を気化フィルタに通して気化して室内を加湿するものが知られている（例えば、特許文献１）。
【０００３】
ところで、水槽に供給する加湿用の水として、一般に、市水道の水道水を用いることが多いため、マグルシウムやカンシウム等の水道水中に含まれるカルキ分が、長期間の使用により気化フィルタにおける風の入り口側近くの通気孔表面に付着して、気化フィルタに目詰まりを生じさせ、加湿量を低下させる場合がある。その場合、歯ブラシなどを用い、気化フィルタに付着したカルキ分を除去して加湿量を復元させる必要がある。
【０００４】
特に、限られたスペースに設置する小さな気化フィルタで、加湿量（気化量）を増加させようとすると、気化フィルタの通気孔の数を多くして、気化させるための表面積を増大させる必要がある。
【０００５】
このように気化フィルタの通気孔の数を多くすると、通気孔の大きさが小さくなって、一層、目詰まりを起こし易くなる。
【特許文献１】特開２００３−２６２３６７号公報
【発明の開示】
【発明が解決しようとする課題】
【０００６】
本発明は、上述の実情に鑑みてなされたものであり、気化フィルタを風上側と風下側とに分割構成とすると共に、風上側の気化フィルタにおける通気孔の大きさを、風下側の気化フィルタにおける通気孔の大きさよりも大きくして、気化フィルタが目詰まりするまでの時間を長くするようにした気化式加湿器を提供する。
【課題を解決するための手段】
【０００７】
請求項１に記載の発明は、吸込み口及び吹出し口を有する加湿器本体と、この加湿器本体内に設けられた送風機と、この送風機の送風路内に設けられた気化フィルタと、この気化フィルタに水を供給する水槽とを備えた気化式加湿器において、前記気化フィルタは、互いに平板状シートと波板状シートとを組み合わせて多数の通気孔を形成した風上側の第１気化フィルタと風下側の第２気化フィルタとに分割構成とすると共に、風上側の第１気化フィルタにおける多数の通気孔の大きさを、風下側の第２気化フィルタにおける多数の通気孔の大きさをよりも大きくしたことを特徴とする。
【０００８】
請求項２に記載の発明は、請求項１に記載の気化式加湿器において、前記風上側の第１気化フィルタを構成するフィルタ構成体は、風下側の第２気化フィルタを構成するフィルタ構成体よりも、波板状シートの波形状が大きなものを用いたことを特徴とする。
【発明の効果】
【０００９】
本発明の気化式加湿器においては、送風機の送風路内に設けられた気化フィルタを、風上側の第１気化フィルタと風下側の第２気化フィルタとに分割構成とすると共に、風上側の第１気化フィルタにおける多数の通気孔の大きさを、風下側の第２気化フィルタにおける多数の通気孔の大きさをよりも大きくした構成であるから、気化フィルタは風上側において、大きい通気孔により目詰まりし難い構造にでき、風下側では小さい通気孔によって十分な加湿量が得られる構造にできるため、長期間に亘り、気化フィルタの目詰まりを抑制しつつ、十分に必要な加湿量を得ることが可能になる。
【発明を実施するための最良の形態】
【００１０】
本発明の気化式加湿器は、吸込み口及び吹出し口を有する加湿器本体と、この加湿器本体内に設けられた送風機と、この送風機の送風路内に設けられた気化フィルタと、この気化フィルタに水を供給する水槽とを備えた気化式加湿器において、前記気化フィルタは、互いに平板状シートと波板状シートとを組み合わせて多数の通気孔を形成して成る風上側の第１気化フィルタと風下側の第２気化フィルタとに分割構成とすると共に、風上側の第１気化フィルタにおける多数の通気孔の大きさを、風下側の第２気化フィルタにおける多数の通気孔の大きさよりも大きくした構成であり、以下に本発明の実施形態について説明する。
【実施例１】
【００１１】
次に、本発明の実施の形態について説明すると、図１は本発明に係る気化式加湿器の外観斜視図、図２は本発明に係る気化式加湿器の要部縦断側面図、図３は本発明に係る気化式加湿器に組み込まれた気化フィルタの斜視図、図４はフィルタ構成体を示す正面図、図５は第１気化フィルタにおけるフィルタ構成体の要部拡大図、図６は第２気化フィルタにおけるフィルタ構成体の要部拡大図である。
【００１２】
図１及図２に基づいて説明すると、１は気化式加湿器、２は気化式加湿器１の本体であり、この加湿器本体２は、前面開口の本体ケース２Ａと、この本体ケース２Ａの前面開口に取り外し自在に設けられた前面パネル２Ｂとで構成されている。
【００１３】
３は前記本体ケース２Ａの背面部４に設けた空気の吸込み口、５は前面パネル２Ｂの上部に設けた吹出し口、６は前記吸込み口３の内側に設けた吸込み空気を浄化するための浄化フィルタである。
【００１４】
７は持ち運び用の折り畳み自在な取っ手、８は加湿用の水を補給するカートリッジ式の給水タンク（図示せず）の出し入れ用の収容開口９を開閉自在に閉塞する開閉蓋、１０は運転スイッチ１１及び複数の表示灯１２を配置した表示部兼用の操作部であり、それらは前記本体ケース２Ａの天面部１３に設けられている。
【００１５】
１４は前記加湿器本体２内に設けられた回転数可変のモータ（図示せず）を有する送風機、１５は送風機１４の送風路であり、この送風路１５は一端が前記吸込み口３に連通し、かつ、他端が前記吹出し口５に連通している。
【００１６】
１６は前記送風機１４の送風路１５に設けられた気化フィルタであり、この気化フィルタ１６は吸水性を有し、送風機１４の風を通過させることにより吸水した水を気化させる。１７は気化フィルタ１６に加湿用の水を供給する水槽であり、前記気化フィルタ１６を立てて設けることにより水を気化フィルタ１６に浸透させる。
【００１７】
前記水槽１７は、前記ケース本体２Ａ内の下部に出し入れ可能に収容されている。そして、前記前面パネル２Ｂを本体ケース２Ａから取り外して、本体ケース２Ａの前面開口を開放することにより、本体ケース２Ａ内へ出し入れ可能に構成している。また、前記水槽１７には、給水タンク（図示せず）からの水が一定水位となるように補給される。
【００１８】
上記構成において、操作部１０に設けられた運転スイッチ１１のオン操作により、送風機１４のモータ（図示せず）が駆動し、このモータの駆動により、室内の空気が吸込み口３及び浄化フィルタ６を通って加湿器本体２内に吸込まれる。
【００１９】
この加湿器本体２内に吸込まれた空気は、送風機１４で加速されて気化フィルタ１６を通過し、その気化フィルタ１６に吸い上げられた水を気化する。そして、気化フィルタ１６で気化された水分（湿気）は、送風機１４の送風により吹出し口５から室内に放出され、室内を加湿する。ここで、加湿量の調整は、送風機１４のモータの回転数を増減して行う。
【００２０】
次に、前記気化フィルタ１６について、図３〜図６に基づき詳述する。気化フィルタ１６は、合成樹脂にて作られた通気性を有する容器状の一対の保持具１８、１９内に収容されて保持される。
【００２１】
本発明では、前記気化フィルタ１６は、図３に示すように、風上側の第１気化フィルタ１６Ａと風下側の第２気化フィルタ１６Ｂとに、前記送風機１４からの風の流れに沿って２分割構成としている。
【００２２】
前記第１気化フィルタ１６Ａ及び第２気化フィルタ１６Ｂは、図４に示すように、互いに平板状シート２０Ａ、２０Ｂと波形状シート２１Ａ、２１Ｂとの組み合わせにより作られるフィルタ構成体２２Ａ、２２Ｂを、多数横並びに重ねてブロック化したものである。こうして、フィルタ構成体２２Ａ、２２Ｂを多数横並びに重ねてブロック化することにより、前記第１気化フィルタ１６Ａ及び第２気化フィルタ１６Ｂは、送風機１４からの送風を横向きに通す多数の通気孔２３Ａ、２３Ｂがそれぞれ形成されるものである。
【００２３】
前記各フィルタ構成体２２Ａ、２２Ｂは、何れも吸水性に優れたレーヨン繊維にコシの強さを持つＰＶＡ（ポリビニールアルコール）繊維を混合してなる不織布構成の平板状シート２０Ａ、２０Ｂに、同じ不織布構成の布をコンゲート加工により波形に加工してなる波板状シート２１Ａ、２１Ｂの谷部を接着して一体化させたものである。
【００２４】
更に詳述すると、前記風上側の第１気化フィルタ１６Ａにおける多数の通気孔２３Ａ、２３Ａ、の大きさは、前記風下側の第２気化フィルタ１６Ｂにおける多数の通気孔２３Ｂ、２３Ｂよりも大きく形成されている。
【００２５】
即ち、図５及び図６に示すように、風上側の第１気化フィルタ１６Ａを構成するフィルタ構成体２２Ａは、風下側の第２気化フィルタ１６Ｂを構成するフィルタ構成体２２Ｂよりも、波板状シートの波形状の大きなものを用いている。この大きさの相異としは、例えば、第１気化フィルタ１６Ａのフィルタ構成体２２Ａにおける波板状シート２１Ａの山部高さＨを、第２気化フィルタ１６Ｂのフィルタ構成体２２Ｂにおける波板状シート２１Ｂの山部高さｈの２倍に設定している。
【００２６】
上記したように、本実施例によれば、送風機１４の送風路１５内に設けた気化フィルタ１６は、互いに平板状シート２０Ａ、２０Ｂと波板状シート２１Ａ、２１Ｂとを接着により組み合わせて多数の通気孔２３Ａ、２３Ｂを形成した風上側の第１気化フィルタ１６Ａと風下側の第２気化フィルタ１６Ｂとに分割構成とすると共に、風上側の第１気化フィルタ１６Ａにおける多数の通気孔２３Ａの大きさを、風下側の第２気化フィルタ１６Ｂにおける多数の通気孔２３Ｂ大きさをよりも大きくしている。即ち、第１気化フィルタ１６Ａのフィルタ構成体２２Ａにおける波板状シート２１Ａの山部高さＨを、第２気化フィルタ１６Ｂのフィルタ構成体２２Ｂにおける波板状シート２１Ｂの山部高さｈの２倍に設定している。
【００２７】
従って、気化フィルタ１６は、加湿用の水として水道水を用いた場合でも、風上側において、大きい通気孔により目詰まりし難い構造にでき、風下側では小さい通気孔によって十分な加湿量が得られる構造にできるため、長期間に亘り、気化フィルタの目詰まりを抑制しつつ、十分に必要な加湿量を得ることが可能になる。
【図面の簡単な説明】
【００２８】
【図１】本発明に係る気化式加湿器の外観斜視図である。
【図２】同じく、気化式加湿器の要部縦断側面図である。
【図３】同じく、加湿器に組み込まれた気化フィルタの斜視図である。
【図４】同じく、フィルタ構成体を示す正面図である。
【図５】同じく、第１気化フィルタにおけるフィルタ構成体の要部拡大図である。
【図６】同じく、第２気化フィルタにおけるフィルタ構成体の要部拡大図である。
【符号の説明】
【００２９】
１      気化式加湿器
２      加湿器本体
３      吸込み口
５      吹出し口
１４      送風機
１５      送風路
１６      気化フィルタ
１６Ａ    風上側の第１気化フィルタ
１６Ｂ    風下側の第２気化フィルタ
１７      水槽
２０Ａ    平板状シート（第１気化フィルタ側）
２０Ｂ    平板状シート（第２気化フィルタ側）
２１Ａ    波形状シート（第１気化フィルタ側）
２１Ｂ    波形状シート（第２気化フィルタ側）
２２Ａ    フィルタ構成体（第１気化フィルタ側）
２２Ｂ    フィルタ構成体（第２気化フィルタ側）
２３Ａ    通気孔（第１気化フィルタ側）
２３Ｂ    通気孔（第２気化フィルタ側）
【図１】
2007064575.tif 000003
【図２】
2007064575.tif 000004
【図３】
2007064575.tif 000005
【図４】
2007064575.tif 000006
【図５】
2007064575.tif 000007
【図６】
2007064575.tif 000008